(57)【要約】【課題】精度よく認知機能障害および脳機能障害の評価を行う。【解決手段】評価装置は、表示部と、被験者によって指定される表示部上の指定点の位置を検出する検出部と、被験者に提示される課題に対して正解となる特定対象物と、特定対象物とは異なる比較対象物とを含む画像を表示部に表示する表示制御部と、特定対象物に対応した特定領域と、比較対象物に対応した比較領域とを設定する領域設定部と、指定点の位置に基づいて、指定点が特定領域及び比較領域に存在するかをそれぞれ判定する判定部と、判定部の判定結果に基づいて、指定点データを算出する演算部と、指定点データに基づいて、被験者の評価データを求める評価部とを備え、表示制御部は、画像として、特定対象物及び比較対象物の少なくとも一方の配置が異なる複数の回答パターンを表示部に複数回表示する。【選択図】図２
2020123032.tif 000002
【特許請求の範囲】
【請求項１】
表示部と、
被験者によって指定される前記表示部上の指定点の位置を検出する検出部と、
前記被験者に提示される課題に対して正解となる特定対象物と、前記特定対象物とは異なる比較対象物とを含む画像を前記表示部に表示する表示制御部と、
前記特定対象物に対応した特定領域と、前記比較対象物に対応した比較領域とを設定する領域設定部と、
前記指定点の位置に基づいて、前記指定点が前記特定領域及び前記比較領域に存在するかをそれぞれ判定する判定部と、
前記判定部の判定結果に基づいて、指定点データを算出する演算部と、
前記指定点データに基づいて、前記被験者の評価データを求める評価部と
を備え、
前記表示制御部は、前記画像として、前記特定対象物及び前記比較対象物の少なくとも一方の配置が異なる複数の回答パターンを前記表示部に複数回表示する
評価装置。
【請求項２】
前記指定点の位置は被験者の注視点の位置であり、前記注視点の位置は前記検出部において注視点検出にて検出される
請求項１に記載の評価装置。
【請求項３】
前記演算部は、前記回答パターンごとに前記指定点データを算出し、
前記評価部は、算出結果に対して前記回答パターンごとに異なる重み付けをして前記評価データを求める
請求項１又は請求項２に記載の評価装置。
【請求項４】
表示部に画像を表示することと、
被験者によって指定される前記表示部上の指定点の位置を検出することと、
前記被験者に提示される課題に対して正解となる特定対象物と、前記特定対象物とは異なる比較対象物とを含む画像を前記表示部に表示することと、
前記特定対象物に対応した特定領域と、前記比較対象物に対応した比較領域とを設定することと、
前記注視点の位置に基づいて、前記指定点が前記特定領域及び前記比較領域に存在するかをそれぞれ判定することと、
判定結果に基づいて、指定点データを算出することと、
前記指定点データに基づいて、前記被験者の評価データを求めることと
を含み、
前記画像を前記表示部に表示する場合に、前記特定対象物及び前記比較対象物の少なくとも一方の配置が異なる複数の回答パターンを前記表示部に複数回表示する
評価方法。
【請求項５】
表示部に画像を表示する処理と、
被験者によって指定される前記表示部上の指定点の位置を検出する処理と、
前記被験者に提示される課題に対して正解となる特定対象物と、前記特定対象物とは異なる比較対象物とを含む画像を前記表示部に表示する処理と、
前記特定対象物に対応した特定領域と、前記比較対象物に対応した比較領域とを設定する処理と、
前記注視点の位置に基づいて、前記指定点が前記特定領域及び前記比較領域に存在するかをそれぞれ判定する処理と、
判定結果に基づいて、指定点データを算出する処理と、
前記指定点データに基づいて、前記被験者の評価データを求める処理と
をコンピュータに実行させ、
前記画像を前記表示部に表示する処理では、前記特定対象物及び前記比較対象物の少なくとも一方の配置が異なる複数の回答パターンを前記表示部に複数回表示する
評価プログラム。
【発明の詳細な説明】
【技術分野】
【０００１】
本発明は、評価装置、評価方法、及び評価プログラムに関する。
【背景技術】
【０００２】
近年、認知機能障害および脳機能障害が増加傾向にあるといわれており、このような認知機能障害および脳機能障害を早期に発見し、症状の重さを定量的に評価することが求められている。認知機能障害および脳機能障害の症状は、認知能力に影響することが知られている。このため、被験者の認知能力に基づいて被験者を評価することが行われている。例えば、複数種類の数字を表示し、その数字を被験者に加算させて答えを求めさせ、被験者の出した答えを確認する装置が提案されている（例えば、特許文献１参照）。
【先行技術文献】
【特許文献】
【０００３】
【特許文献１】特開２０１１−０８３４０３号公報
【発明の概要】
【発明が解決しようとする課題】
【０００４】
しかしながら、特許文献１等の方法では、被験者がタッチパネルの操作等により答えを選択する形態であり、偶然の正解や被験者の操作ミスなどが原因で高い評価精度を得ることが難しかった。そのため、精度よく認知機能障害および脳機能障害を評価することが求められていた。
【０００５】
本発明は、上記に鑑みてなされたものであり、精度よく認知機能障害および脳機能障害の評価を行うことが可能な評価装置、評価方法、及び評価プログラムを提供することを目的とする。
【課題を解決するための手段】
【０００６】
本発明に係る評価装置は、表示部と、被験者によって指定される前記表示部上の指定点の位置を検出する検出部と、前記被験者に提示される課題に対して正解となる特定対象物と、前記特定対象物とは異なる比較対象物とを含む画像を前記表示部に表示する表示制御部と、前記特定対象物に対応した特定領域と、前記比較対象物に対応した比較領域とを設定する領域設定部と、前記指定点の位置に基づいて、前記指定点が前記特定領域及び前記比較領域に存在するかをそれぞれ判定する判定部と、前記判定部の判定結果に基づいて、指定点データを算出する演算部と、前記指定点データに基づいて、前記被験者の評価データを求める評価部とを備え、前記表示制御部は、前記画像として、前記特定対象物及び前記比較対象物の少なくとも一方の配置が異なる複数の回答パターンを前記表示部に複数回表示する。
【０００７】
本発明に係る評価方法は、表示部に画像を表示することと、被験者によって指定される前記表示部上の指定点の位置を検出することと、前記被験者に提示される課題に対して正解となる特定対象物と、前記特定対象物とは異なる比較対象物とを含む画像を前記表示部に表示することと、前記特定対象物に対応した特定領域と、前記比較対象物に対応した比較領域とを設定することと、前記注視点の位置に基づいて、前記指定点が前記特定領域及び前記比較領域に存在するかをそれぞれ判定することと、判定結果に基づいて、指定点データを算出することと、前記指定点データに基づいて、前記被験者の評価データを求めることとを含み、前記画像を前記表示部に表示する場合に、前記特定対象物及び前記比較対象物の少なくとも一方の配置が異なる複数の回答パターンを前記表示部に複数回表示する。
【０００８】
本発明に係る評価プログラムは、表示部に画像を表示する処理と、被験者によって指定される前記表示部上の指定点の位置を検出する処理と、前記被験者に提示される課題に対して正解となる特定対象物と、前記特定対象物とは異なる比較対象物とを含む画像を前記表示部に表示する処理と、前記特定対象物に対応した特定領域と、前記比較対象物に対応した比較領域とを設定する処理と、前記注視点の位置に基づいて、前記指定点が前記特定領域及び前記比較領域に存在するかをそれぞれ判定する処理と、判定結果に基づいて、指定点データを算出する処理と、前記指定点データに基づいて、前記被験者の評価データを求める処理とをコンピュータに実行させ、前記画像を前記表示部に表示する処理では、前記特定対象物及び前記比較対象物の少なくとも一方の配置が異なる複数の回答パターンを前記表示部に複数回表示する。
【発明の効果】
【０００９】
本発明によれば、精度よく認知機能障害および脳機能障害の評価を行うことが可能な評価装置、評価方法、及び評価プログラムを提供することができる。
【図面の簡単な説明】
【００１０】
【図１】図１は、本実施形態に係る評価装置の一例を模式的に示す図である。
【図２】図２は、評価装置の一例を示す機能ブロック図である。
【図３】図３は、表示部に表示する課題の一例を示す図である。
【図４】図４は、１回目に表示する回答パターンの一例を示す図である。
【図５】図５は、２回目に表示する回答パターンの一例を示す図である。
【図６】図６は、３回目に表示する回答パターンの一例を示す図である。
【図７】図７は、出力装置に出力された出力内容の一例を示す図である。
【図８】図８は、表示部に表示する課題の他の例を示す図である。
【図９】図９は、１回目に表示する回答パターンの他の例を示す図である。
【図１０】図１０は、２回目に表示する回答パターンの他の例を示す図である。
【図１１】図１１は、３回目に表示する回答パターンの他の例を示す図である。
【図１２】図１２は、表示部に表示する課題の他の例を示す図である。
【図１３】図１３は、１回目に表示する回答パターンの他の例を示す図である。
【図１４】図１４は、２回目に表示する回答パターンの他の例を示す図である。
【図１５】図１５は、３回目に表示する回答パターンの他の例を示す図である。
【図１６】図１６は、表示部に表示する課題の他の例を示す図である。
【図１７】図１７は、１回目に表示する回答パターンの他の例を示す図である。
【図１８】図１８は、２回目に表示する回答パターンの他の例を示す図である。
【図１９】図１９は、３回目に表示する回答パターンの他の例を示す図である。
【図２０】図２０は、本実施形態に係る評価方法の一例を示すフローチャートである。
【図２１】図２１は、回答処理（１回目）の一例を示すフローチャートである。
【図２２】図２２は、回答処理（２回目）の一例を示すフローチャートである。
【図２３】図２３は、回答処理（３回目）の一例を示すフローチャートである。
【図２４】図２４は、他の例に係る評価装置を示す図である。
【図２５】図２５は、制御装置の一例を示すブロック図である。
【図２６】図２６は、評価方法の他の例を示すフローチャートである。
【図２７】図２７は、回答処理（１回目）の一例を示すフローチャートである。
【図２８】図２８は、回答処理（２回目）の一例を示すフローチャートである。
【図２９】図２９は、回答処理（３回目）の一例を示すフローチャートである。
【発明を実施するための形態】
【００１１】
以下、本発明に係る評価装置、評価方法、及び評価プログラムの実施形態を図面に基づいて説明する。なお、この実施形態によりこの発明が限定されるものではない。また、下記実施形態における構成要素には、当業者が置換可能かつ容易なもの、あるいは実質的に同一のものが含まれる。
【００１２】
以下の説明においては、三次元グローバル座標系を設定して各部の位置関係について説明する。所定面の第１軸と平行な方向をＸ軸方向とし、第１軸と直交する所定面の第２軸と平行な方向をＹ軸方向とし、第１軸及び第２軸のそれぞれと直交する第３軸と平行な方向をＺ軸方向とする。所定面はＸＹ平面を含む。
【００１３】
［評価装置］  
図１は、本実施形態に係る評価装置１００の一例を模式的に示す図である。本実施形態に係る評価装置１００は、被験者の視線を検出し、検出結果を用いることで認知機能障害および脳機能障害の評価を行う。評価装置１００は、例えば被験者の瞳孔の位置と角膜反射像の位置とに基づいて視線を検出する方法、又は被験者の目頭の位置と虹彩の位置とに基づいて視線を検出する方法等、各種の方法により被験者の視線を検出することができる。
【００１４】
図１に示すように、評価装置１００は、表示装置１０と、画像取得装置２０と、コンピュータシステム３０と、出力装置４０と、入力装置５０と、入出力インターフェース装置６０とを備える。表示装置１０、画像取得装置２０、コンピュータシステム３０、出力装置４０及び入力装置５０は、入出力インターフェース装置６０を介してデータ通信を行う。表示装置１０及び画像取得装置２０は、それぞれ不図示の駆動回路を有する。
【００１５】
表示装置１０は、液晶ディスプレイ（liquid  crystal  display：ＬＣＤ）又は有機ＥＬディスプレイ（organic  electroluminescence  display：ＯＬＥＤ）のようなフラットパネルディスプレイを含む。本実施形態において、表示装置１０は、表示部１１を有する。表示部１１は、画像等の情報を表示する。表示部１１は、ＸＹ平面と実質的に平行である。Ｘ軸方向は表示部１１の左右方向であり、Ｙ軸方向は表示部１１の上下方向であり、Ｚ軸方向は表示部１１と直交する奥行方向である。表示装置１０は、ヘッドマウント型ディスプレイ装置であってもよい。表示装置１０がヘッドマウント型ディスプレイ装置である場合、ヘッドマウントモジュール内に画像取得装置２０のような構成が配置されることになる。
【００１６】
画像取得装置２０は、被験者の左右の眼球ＥＢの画像データを取得し、取得した画像データをコンピュータシステム３０に送信する。画像取得装置２０は、撮影装置２１を有する。撮影装置２１は、被験者の左右の眼球ＥＢを撮影することで画像データを取得する。撮影装置２１は、被験者の視線を検出する方法に応じた各種カメラを有する。例えば被験者の瞳孔の位置と角膜反射像の位置とに基づいて視線を検出する方式の場合、撮影装置２１は、赤外線カメラを有し、例えば波長８５０［ｎｍ］の近赤外光を透過可能な光学系と、その近赤外光を受光可能な撮像素子とを有する。また、例えば被験者の目頭の位置と虹彩の位置とに基づいて視線を検出する方式の場合、撮影装置２１は、可視光カメラを有する。撮影装置２１は、フレーム同期信号を出力する。フレーム同期信号の周期は、例えば２０［ｍｓｅｃ］とすることができるが、これに限定されない。撮影装置２１は、例えば第１カメラ２１Ａ及び第２カメラ２１Ｂを有するステレオカメラの構成とすることができるが、これに限定されない。
【００１７】
また、例えば被験者の瞳孔の位置と角膜反射像の位置とに基づいて視線を検出する方式の場合、画像取得装置２０は、被験者の眼球ＥＢを照明する照明装置２２を有する。照明装置２２は、ＬＥＤ（light  emitting  diode）光源を含み、例えば波長８５０［ｎｍ］の近赤外光を射出可能である。なお、例えば被験者の目頭の位置と虹彩の位置とに基づいて視線ベクトルを検出する方式の場合、照明装置２２は設けられなくてもよい。照明装置２２は、撮影装置２１のフレーム同期信号に同期するように検出光を射出する。照明装置２２は、例えば第１光源２２Ａ及び第２光源２２Ｂを有する構成とすることができるが、これに限定されない。
【００１８】
コンピュータシステム３０は、評価装置１００の動作を統括的に制御する。コンピュータシステム３０は、演算処理装置３０Ａ及び記憶装置３０Ｂを含む。演算処理装置３０Ａは、ＣＰＵ（central  processing  unit）のようなマイクロプロセッサを含む。記憶装置３０Ｂは、ＲＯＭ（read  only  memory）及びＲＡＭ（random  access  memory）のようなメモリ又はストレージを含む。演算処理装置３０Ａは、記憶装置３０Ｂに記憶されているコンピュータプログラム３０Ｃに従って演算処理を実施する。
【００１９】
出力装置４０は、フラットパネルディスプレイのような表示装置を含む。なお、出力装置４０は、印刷装置を含んでもよい。入力装置５０は、操作されることにより入力データを生成する。入力装置５０は、コンピュータシステム用のキーボード又はマウスを含む。なお、入力装置５０が表示装置である出力装置４０の表示部に設けられたタッチセンサを含んでもよい。
【００２０】
本実施形態に係る評価装置１００は、表示装置１０とコンピュータシステム３０とが別々の装置である。なお、表示装置１０とコンピュータシステム３０とが一体でもよい。例えば評価装置１００がタブレット型パーソナルコンピュータを含んでもよい。この場合、当該タブレット型パーソナルコンピュータに、表示装置、画像取得装置、コンピュータシステム、入力装置、出力装置等が搭載されてもよい。
【００２１】
図２は、評価装置１００の一例を示す機能ブロック図である。図２に示すように、コンピュータシステム３０は、表示制御部３１と、注視点検出部３２と、領域設定部３３と、判定部３４と、演算部３５と、評価部３６と、入出力制御部３７と、記憶部３８とを有する。コンピュータシステム３０の機能は、演算処理装置３０Ａ及び記憶装置３０Ｂ（図１参照）によって発揮される。なお、コンピュータシステム３０は、一部の機能が評価装置１００の外部に設けられてもよい。
【００２２】
表示制御部３１は、被験者に提示される課題に対して正解となる画像である特定対象物と、特定対象物とは異なる画像である比較対象物とが配置される回答パターンを表示部１１に表示する。この場合、表示制御部３１は、回答パターンにおける特定対象物及び比較対象物の少なくとも一方の配置が各回でそれぞれ異なるように複数回連続で表示部１１に表示する。また、表示制御部３１は、被験者に対する課題を表示部１１に表示してもよい。この場合、表示制御部３１は、課題を表示部１１に表示した後、特定対象物及び比較対象物を表示部１１に表示する。表示制御部３１は、上記の課題及び回答パターンを、例えば評価用映像として表示部１１に表示することができるが、表示形態については評価用映像に限定されず、静止画であってもよい。
【００２３】
注視点検出部３２は、被験者の注視点の位置データを検出する。本実施形態において、注視点検出部３２は、画像取得装置２０によって取得される被験者の左右の眼球ＥＢの画像データに基づいて、三次元グローバル座標系で規定される被験者の視線ベクトルを検出する。注視点検出部３２は、検出した被験者の視線ベクトルと表示装置１０の表示部１１との交点の位置データを、被験者の注視点の位置データとして検出する。つまり、本実施形態において、注視点の位置データは、三次元グローバル座標系で規定される被験者の視線ベクトルと、表示装置１０の表示部１１との交点の位置データである。本実施形態において、注視点は、被験者に注視されることで指定される表示部１１上の指定点である。注視点検出部３２は、規定のサンプリング周期毎に被験者の注視点の位置データを検出する。このサンプリング周期は、例えば撮影装置２１から出力されるフレーム同期信号の周期（例えば２０［ｍｓｅｃ］毎）とすることができる。
【００２４】
領域設定部３３は、表示部１１において、特定対象物に対応した特定領域と、比較対象物に対応した比較領域とを表示部１１に設定する。本実施形態では、複数回連続で表示する回答パターンのそれぞれにおいて、特定対象物及び比較対象物の配置が異なる。したがって、領域設定部３３は、それぞれの回答パターンにおける特定対象物及び比較対象物の配置に対応するように、特定領域及び比較領域を回答パターンごとに設定する。本実施形態において、領域設定部３３で設定される各領域は、原則として表示部１１には表示されない。なお、例えば表示制御部３１の制御により、各領域が表示部１１に表示されるようにしてもよい。
【００２５】
判定部３４は、領域設定部３３によって特定領域及び比較領域が設定される期間に、注視点の位置データに基づいて、注視点が特定領域及び比較領域に存在するか否かをそれぞれ判定し、判定データを出力する。判定部３４は、規定の判定周期毎に注視点が特定領域及び比較領域に存在するか否かを判定する。判定周期としては、例えば撮影装置２１から出力されるフレーム同期信号の周期（例えば２０［ｍｓｅｃ］毎）と同一の周期とすることができる。この場合、判定部３４の判定周期は、注視点検出部３２のサンプリング周期と同一である。
【００２６】
演算部３５は、判定部３４の判定データに基づいて、上記の特定領域及び比較領域が設定される期間における注視点の移動の経過を示す注視点データを算出する。本実施形態において、注視点は、被験者によって指定される表示部上の指定点に含まれる。また、注視点データは、指定点を指定する経過を示す指定点データに含まれる。演算部３５は、注視点データとして、例えば存在時間データを算出する。存在時間データは、注視点が特定領域に存在した存在時間を示す特定存在時間データと、注視点が比較領域に存在した存在時間を示す比較存在時間データとを含む。演算部３５は、表示部１１に評価用映像が表示されてからの経過時間を検出するタイマと、判定部３４により特定領域及び比較領域に注視点が存在すると判定された判定回数をカウントするカウンタとを有する。また、演算部３５は、評価用映像の再生時間を管理する管理タイマを有してもよい。
【００２７】
評価部３６は、注視点データに基づいて、被験者の評価データを求める。評価データは、表示部１１に表示される特定対象物及び比較対象物を被験者が注視できているかを評価するデータを含む。
【００２８】
入出力制御部３７は、画像取得装置２０及び入力装置５０の少なくとも一方からのデータ（眼球ＥＢの画像データ、入力データ等）を取得する。また、入出力制御部３７は、表示装置１０及び出力装置４０の少なくとも一方にデータを出力する。入出力制御部３７は、被験者に対する課題をスピーカ等の出力装置４０から出力してもよい。また、入出力制御部３７は、回答パターンが複数回連続で表示される場合に、再度特定対象物を注視させるための指示をスピーカ等の出力装置４０から出力してもよい。
【００２９】
記憶部３８は、上記の判定データ、注視点データ（存在時間データ）、及び評価データを記憶する。また、記憶部３８は、表示部１１に画像を表示する処理と、被験者によって指定される表示部１１上の指定点の位置を検出する処理と、被験者に提示される課題に対して正解となる特定対象物と、特定対象物とは異なる比較対象物とを含む画像を表示部１１に表示する処理と、特定対象物に対応した特定領域と、比較対象物に対応した比較領域とを設定する処理と、注視点の位置に基づいて、指定点が特定領域及び比較領域に存在するかをそれぞれ判定する処理と、判定結果に基づいて、指定点データを算出する処理と、指定点データに基づいて、被験者の評価データを求める処理とをコンピュータに実行させ、画像を表示部１１に表示する処理では、特定対象物及び比較対象物の少なくとも一方の配置が異なる複数の回答パターンを表示部１１に複数回表示する評価プログラムを記憶する。
【００３０】
［評価方法］  
次に、本実施形態に係る評価方法について説明する。本実施形態に係る評価方法では、上記の評価装置１００を用いることにより、被験者の認知機能障害および脳機能障害を評価する。
【００３１】
図３は、表示部１１に表示する課題の一例を示す図である。図３に示すように、表示制御部３１は、例えば被験者に対する課題情報Ｉ１を表示部１１に所定期間表示する。本実施形態において、課題情報Ｉ１は、「五角形」を示す図柄を選択させる、という内容の課題が例として示されている。本実施形態では、被験者に「五角形」を想像させるため、課題情報Ｉ１は、文字情報のみで構成される。すなわち、課題情報Ｉ１には、「五角形」を示す図柄の画像情報については含まれない。なお、本実施形態では、課題情報Ｉ１を表示部１１に表示する場合を例に挙げているが、これに限定されない。例えば入出力制御部３７は、課題情報Ｉ１の表示に加えて、又は課題情報Ｉ１の表示に代えて、課題情報Ｉ１に対応する音声をスピーカから出力してもよい。
【００３２】
図４から図６は、表示部１１に表示する回答パターンの例を示す図である。図４から図６に示すように、表示制御部３１は、課題情報Ｉ１に対して正解となる特定対象物と、課題情報Ｉ１に対して不正解となる複数の比較対象物とが配置される回答パターンを、当該回答パターンにおける特定対象物及び比較対象物の少なくとも一方の配置がそれぞれ異なるように複数回連続で表示部１１に表示する。本実施形態において、表示制御部３１は、例えば回答パターンを３回連続で表示部１１に表示するが、これに限定されない。表示制御部３１は、回答パターンを連続して表示する回数を２回又は４回以上としてもよい。
【００３３】
図４は、１回目に表示する回答パターンの一例を示す図である。図４に示す例において、表示制御部３１は、課題情報Ｉ１に対して正解となる特定対象物Ａ１１と、課題情報Ｉ１に対して不正解となる比較対象物Ｂ１１、Ｂ１２、Ｃ１１〜Ｃ１３を１回目の回答パターン（以下、「第１回答パターン」と表記する）Ｐ１１として表示部１１に表示する。
【００３４】
特定対象物Ａ１１は、課題情報Ｉ１に対して正解となる五角形の図柄である。比較対象物Ｂ１１、Ｂ１２、Ｃ１１〜Ｃ１３は、課題情報Ｉ１に対して不正解となる三角形、四角形、六角形、七角形、及び八角形の各図柄である。ここでは、正解である五角形の角の数（５つ）に対して１つ異なる数の角を有する四角形及び六角形の図柄を、それぞれ第１比較対象物Ｂ１１、Ｂ１２とする。また、五角形の角の数に対して２つ以上異なる数の角を有する三角形、七角形及び八角形の図柄を、それぞれ第２比較対象物Ｃ１１、Ｃ１２、Ｃ１３とする。
【００３５】
領域設定部３３は、第１回答パターンＰ１１が表示される期間、課題情報Ｉ１に対して正解となる特定対象物Ａ１１に対応した特定領域Ａを設定する。領域設定部３３は、特定対象物Ａ１１の少なくとも一部を含む領域に特定領域Ａを設定することができる。本実施形態において、領域設定部３３は、特定対象物Ａ１１を含む矩形の領域に特定領域Ａを設定する。
【００３６】
また、領域設定部３３は、課題情報Ｉ１に対して不正解となる比較対象物Ｂ１１、Ｂ１２、Ｃ１１〜Ｃ１３に対応した比較領域Ｂ、Ｃを設定する。領域設定部３３は、比較領域Ｂ、Ｃのうち、第１比較対象物Ｂ１１、Ｂ１２に対応した第１比較領域Ｂと、第２比較対象物Ｃ１１〜Ｃ１３に対応した第２比較領域Ｃと、を別個に設定する。
【００３７】
領域設定部３３は、第１比較対象物Ｂ１１、Ｂ１２の少なくとも一部を含む領域にそれぞれ第１比較領域Ｂを設定することができる。また、領域設定部３３は、第２比較対象物Ｃ１１〜Ｃ１３の少なくとも一部を含む領域に第２比較領域Ｃを設定することができる。本実施形態において、領域設定部３３は、第１比較対象物Ｂ１１、Ｂ１２、第２比較対象物Ｃ１１〜Ｃ１３を含む矩形の領域に、第１比較領域Ｂ、第２比較領域Ｃをそれぞれ設定する。また、領域設定部３３は、特定領域Ａと、第１比較領域Ｂと、第２比較領域Ｃとが重ならないように表示部１１に設定する。
【００３８】
なお、特定領域Ａ、第１比較領域Ｂ、及び第２比較領域Ｃは、表示部１１には表示されない。特定領域Ａ、第１比較領域Ｂ、及び第２比較領域Ｃの形状については、上記のような矩形に限定されず、円形、楕円形、多角形等、他の形状であってもよい。また、図４では、表示部１１において、例えば計測後に結果表示される注視点Ｐの一例を示しているが、当該注視点Ｐは、実際には表示部１１には表示されない。
【００３９】
図５は、２回目に表示する回答パターンの一例を示す図である。表示制御部３１は、第１回答パターンＰ１１に対して少なくとも１つの配置が異なる状態の特定対象物Ａ１１、及び比較対象物Ｂ１１、Ｂ１２、Ｃ１１〜Ｃ１３を、２回目の回答パターン（以下、「第２回答パターン」と表記する）Ｐ１２として表示部１１に表示する。第２回答パターンＰ１２では、例えば特定対象物Ａ１１、比較対象物Ｂ１２、Ｃ１１、Ｃ１２の配置が第１回答パターンＰ１１とは異なっており、比較対象物Ｂ１１、Ｃ１３の配置が第１回答パターンＰ１１と同一となっている。
【００４０】
第２回答パターンＰ１２における特定対象物Ａ１１及び比較対象物Ｂ１１、Ｂ１２、Ｃ１１〜Ｃ１３の配置が第１回答パターンＰ１１とは異なるため、領域設定部３３は、第２回答パターンＰ１２に対応した特定領域Ａ及び比較領域Ｂ、Ｃの設定を行う。この場合、領域設定部３３は、第１回答パターンＰ１１における領域設定を解除し、第２回答パターンＰ１２における特定対象物Ａ１１に対応した特定領域Ａを設定し、比較対象物Ｂ１１、Ｂ１２、Ｃ１１〜Ｃ１３に対応した第１比較領域Ｂ、第２比較領域Ｃを設定する。領域設定部３３は、特定領域Ａと、第１比較領域Ｂと、第２比較領域Ｃとが重ならないように表示部１１に設定する。
【００４１】
図６は、３回目に表示する回答パターンの一例を示す図である。表示制御部３１は、第１回答パターンＰ１１及び第２回答パターンＰ１２に対して少なくとも１つの配置が異なる状態の特定対象物Ａ１１、及び比較対象物Ｂ１１、Ｂ１２、Ｃ１１〜Ｃ１３を、３回目の回答パターン（以下、「第３回答パターン」と表記する）Ｐ１３として表示部１１に表示する。第３回答パターンＰ１３では、例えば特定対象物Ａ１１、比較対象物Ｂ１２、Ｃ１１、Ｃ１２の配置が第１回答パターンＰ１１及び第２回答パターンＰ１２とは異なっており、比較対象物Ｂ１１、Ｃ１３の配置が第１回答パターンＰ１１及び第２回答パターンＰ１２と同一となっている。
【００４２】
第３回答パターンＰ１３における特定対象物Ａ１１及び比較対象物Ｂ１１、Ｂ１２、Ｃ１１〜Ｃ１３の配置が第２回答パターンＰ１２とは異なるため、領域設定部３３は、第３回答パターンＰ１３に対応した特定領域Ａ及び比較領域Ｂ、Ｃの設定を行う。この場合、領域設定部３３は、第２回答パターンＰ１２における領域設定を解除し、第３回答パターンＰ１３における特定対象物Ａ１１に対応した特定領域Ａを設定し、比較対象物Ｂ１１、Ｂ１２、Ｃ１１〜Ｃ１３に対応した第１比較領域Ｂ、第２比較領域Ｃを設定する。領域設定部３３は、特定領域Ａと、第１比較領域Ｂと、第２比較領域Ｃとが重ならないように表示部１１に設定する。
【００４３】
認知機能障害および脳機能障害の症状は、被験者の記憶能力及び認知能力に影響することが知られている。被験者が認知機能障害および脳機能障害ではない場合、指示動作において課題情報Ｉ１を見て五角形の図柄を想像し、対象表示動作において表示部１１に表示される複数の対象物Ａ１１、Ｂ１１、Ｂ１２、Ｃ１１〜Ｃ１３を見て、五角形の図柄である特定対象物Ａ１１を区別して見つけ出すことができる。
【００４４】
これに対して、被験者が認知機能障害および脳機能障害である場合、課題情報Ｉ１を見て五角形の図柄を想像できず、特定対象物Ａ１１を注視できないことがある。したがって、本実施形態では、被験者に注視させる図柄そのものについては課題情報Ｉ１において表示させず、図柄に対応する文字情報又は音声情報等により被験者に所定期間提示し、提示している期間に被験者に図柄を想像させる。課題情報Ｉ１を所定期間提示した後、課題に対して回答となる特定対象物Ａ１１を含む複数の対象物Ａ１１、Ｂ１１、Ｂ１２、Ｃ１１〜Ｃ１３を表示して、被験者に選択させる。このような時間的な流れにおいて、被験者が課題情報Ｉ１を見て図柄を想像する期間を確保し、その後、被験者が想像した回答を選択させるようにする。そして、被験者が回答を見つけ出す際の注視点の移動の経過に基づいて、被験者の認知機能障害および脳機能障害の可能性を評価する。
【００４５】
このような評価において、本実施形態のように複数の対象物Ａ１１、Ｂ１１、Ｂ１２、Ｃ１１〜Ｃ１３を表示部１１に表示する方式では、対象表示動作の開始時に、被験者の注視点が課題に対して正解である特定対象物Ａ１１等に偶然配置されてしまう場合がある。このような場合、被験者が認知機能障害および脳機能障害であるか否かに関わらず正解として判定される可能性があるため、被験者を高精度に評価することが困難となる。
【００４６】
本実施形態では、被験者に課題を提示した後、特定対象物Ａ１１、及び比較対象物Ｂ１１、Ｂ１２、Ｃ１１〜Ｃ１３の配置が異なる回答パターンＰ１１〜Ｐ１３を連続で表示させ、回答パターンＰ１１〜Ｐ１３のそれぞれに対してどれだけ正解の特定対象物Ａ１１を注視できたかを評価する。被験者が認知機能障害および脳機能障害ではない場合、課題が提示された場合に正解を明確に認識することができる。このため、特定対象物Ａ１１、及び比較対象物Ｂ１１、Ｂ１２、Ｃ１１〜Ｃ１３の配置が異なるように３回連続で回答パターンを表示させても、３回とも正解を見つけ出すことができる。
【００４７】
一方、被験者が認知機能障害および脳機能障害である場合、課題が提示されても正解を明確に認識することができないことがある。例えば、表示回数を重ねるごとに回答に迷い、異なる対象物を見る可能性が高くなる。したがって、特定対象物Ａ１１、及び比較対象物Ｂ１１、Ｂ１２、Ｃ１１〜Ｃ１３の配置が異なるように複数回連続で回答パターンＰ１１〜Ｐ１３を表示する場合に、３回とも正解を見つけ出すことは困難となる。このため、上記の回答パターンＰ１１〜Ｐ１３を連続で表示し、どれだけ正解の特定対象物Ａ１１を注視できたかを評価することで、より偶然性を排除することができる。
【００４８】
正解の偶然性を排除するためには、例えば類似する課題を被験者に複数回行わせて、その正解率により評価を行うことが知られている。しかしながら、この方法では、課題と回答パターンとを課題ごとに繰り返す必要があり、時間がかかる。これに対して、本実施形態では、１つの課題に対して、回答パターンを変更して複数回連続で表示させるものである。したがって、短時間で評価を行うことができ、かつ正解の偶然性を排除することができる。また、複数回の結果から評価を行うため、１回の結果で正解か否かを判断して評価を行う方法よりも、被検者の迷いなどを評価に加えることが可能であるため、評価精度を向上させることができる。
【００４９】
注視点検出部３２は、回答パターンＰ１１〜Ｐ１３が表示される期間において、規定のサンプリング周期（例えば２０［ｍｓｅｃ］）毎に、被験者の注視点Ｐの位置データを検出する。判定部３４は、被験者の注視点Ｐの位置データが検出された場合、被験者の注視点が特定領域Ａ、及び比較領域Ｂ、Ｃに存在するかを判定し、判定データを出力する。したがって、判定部３４は、上記のサンプリング周期と同一の判定周期毎に判定データを出力する。
【００５０】
演算部３５は、判定データに基づいて、表示期間における注視点Ｐの移動の経過を示す注視点データを算出する。演算部３５は、注視点データとして、例えば存在時間データを算出する。存在時間データは、注視点Ｐが特定領域Ａに存在した存在時間を示す特定存在時間データと、注視点Ｐが比較領域Ｂ、Ｃに存在した存在時間を示す比較存在時間データとを含む。比較存在時間データは、第１比較領域Ｂに存在した存在時間を示す第１比較存在時間データと、注視点Ｐが第２比較領域Ｃに存在した存在時間を示す第２比較存在時間データとを含む。
【００５１】
本実施形態では、判定部３４により上記判定周期毎に注視点Ｐが特定領域Ａ、第１比較領域Ｂ、第２比較領域Ｃに存在するか否かを判定した結果、存在すると判定された回数が多いほど、特定領域Ａ、第１比較領域Ｂ、及び第２比較領域Ｃにそれぞれ注視点Ｐが存在した存在時間が長いと推定することができる。したがって、存在時間データは、特定領域Ａ、第１比較領域Ｂ、及び第２比較領域Ｃに注視点が存在すると判定部３４に判定された回数とすることができる。つまり、演算部３５は、３回の表示において、カウンタにおけるカウント値ＡＡ１、ＡＡ２、ＡＡ３を特定存在時間データとし、カウント値ＡＢ１、ＡＢ２、ＡＢ３を第１比較存在時間データとし、カウント値ＡＣ１、ＡＣ２、ＡＣ３を第２比較存在時間データとすることができる。
【００５２】
評価部３６は、特定存在時間データ、第１比較存在時間データ及び第２比較存在時間データを含む存在時間データに基づいて評価値を求め、評価値に基づいて評価データを求める。本実施形態において、評価部３６は、例えば、以下のように評価値ＡＮＳ１を求めることができる。つまり、
ＡＮＳ１＝Ｋ１・ＡＡ１＋Ｋ２・ＡＡ２＋Ｋ３・ＡＡ３
とすることができる。なお、定数Ｋ１〜Ｋ３は、重み付けのための定数である。ここでは、例えば、
Ｋ１＜Ｋ２＜Ｋ３
とすることができる。つまり、表示回数が多くなるほど、正解した場合の評価値ＡＮＳ１が高くなる。また、第１比較領域Ｂ、及び第２比較領域Ｃに注視点が存在する場合でも評価値ＡＮＳ１が変わらない。
【００５３】
また、評価部３６は、以下のように評価値ＡＮＳ２を求めてもよい。
ＡＮＳ２＝Ｋ１・ＡＡ１＋Ｋ２・ＡＡ２＋Ｋ３・ＡＡ３
ただし、
ＡＡ１＞ＡＢ１、かつ、ＡＡ１＞ＡＣ１であればＡＡ１＝１、それ以外はＡＡ１＝０
ＡＡ２＞ＡＢ２、かつ、ＡＡ２＞ＡＣ２であればＡＡ２＝１、それ以外はＡＡ２＝０
ＡＡ３＞ＡＢ３、かつ、ＡＡ３＞ＡＣ３であればＡＡ３＝１、それ以外はＡＡ３＝０
この場合も、表示回数が多くなるほど、正解した場合の評価値ＡＮＳ２が高くなる。一方、特定領域Ａに注視点が存在する時間よりも、第１比較領域Ｂ又は第２比較領域Ｃに注視点が存在する時間が長い場合、評価値ＡＮＳ２は減少する。
【００５４】
また、評価部３６は、以下のように評価値ＡＮＳ３を求めてもよい。
ＡＮＳ３＝Ｋ１・（ＡＡ１−ＡＢ１−ＡＣ１）
＋Ｋ２・（ＡＡ２−ＡＢ２−ＡＣ２）
＋Ｋ３・（ＡＡ３−ＡＢ３−ＡＣ３）
この場合も、表示回数が多くなるほど、正解した場合の評価値ＡＮＳ３が高くなる。一方、第１比較領域Ｂ又は第２比較領域Ｃに注視点が存在する場合、評価値ＡＮＳ３は減少する。
【００５５】
評価部３６は、評価値ＡＮＳ１、ＡＮＳ２又はＡＮＳ３が所定値以上か否かを判断することで評価データを求めることができる。例えば評価値ＡＮＳ１、ＡＮＳ２又はＡＮＳ３が所定値以上である場合、被験者が認知機能障害および脳機能障害である可能性は低いと評価することができる。また、評価値ＡＮＳ１、ＡＮＳ２又はＡＮＳ３が所定値未満である場合、被験者が認知機能障害および脳機能障害である可能性は高いと評価することができる。
【００５６】
また、評価部３６は、評価値ＡＮＳの値を記憶部３８に記憶させておくことができる。例えば、同一の被験者についての評価値ＡＮＳを累積的に記憶し、過去の評価値と比較した場合の評価を行ってもよい。例えば、評価値ＡＮＳが過去の評価値よりも高い値となった場合、脳機能が前回の評価に比べて改善されている旨の評価を行うことができる。また、評価値ＡＮＳの累積値が徐々に高くなっている場合等には、脳機能が徐々に改善されている旨の評価を行うことができる。
【００５７】
本実施形態において、評価部３６が評価データを出力した場合、入出力制御部３７は、評価データに応じて、例えば「被験者は認知機能障害および脳機能障害である可能性が低いと思われます」の文字データや、「被験者は認知機能障害および脳機能障害である可能性が高いと思われます」の文字データ等を出力装置４０に出力させることができる。図７は、出力装置４０に出力された出力内容の一例を示す図である。図７では、認知機能障害（空間認識力）の程度が標準である場合の例について示している。また、入出力制御部３７は、同一の被験者についての評価値ＡＮＳが過去の評価値ＡＮＳに比べて高くなっている場合、「認知機能および脳機能が改善されています」等の文字データ等を出力装置４０に出力することができる。
【００５８】
図８は、表示部１１に表示する課題の他の例を示す図である。図８に示すように、表示制御部３１は、被験者に注視させる課題対象物Ｍ２と、課題対象物Ｍ２に関する課題を解決するように被験者に指示する課題情報Ｉ２とを表示部１１に表示する。この場合、課題対象物Ｍ２の図柄を記憶し、記憶した課題対象物Ｍ２と同一の対象物を選択させる、という内容の課題が例として示されている。
【００５９】
図９から図１１は、表示部１１に表示する回答パターンの他の例を示す図である。図９は、１回目に表示する回答パターンの他の例を示す図である。図９に示すように、表示制御部３１は、課題情報Ｉ２に対して正解となる特定対象物Ａ２１と課題情報Ｉ２に対して不正解となる複数の比較対象物Ｂ２１、Ｂ２２、Ｃ２１とを第１回答パターンＰ２１として表示部１１に表示する。
【００６０】
比較対象物Ｂ２１、Ｂ２２、Ｃ２１は、特定対象物Ａ２１と類似する形状を有してもよいし、特定対象物Ａ２１とは非類似の形状を有してもよい。図９に示す例では、比較対象物Ｂ２１は正方形と円形を組み合わせた形状、比較対象物Ｂ２２は台形と円形とを組み合わせた形状、比較対象物Ｃ２１は円形と正六角形とを組み合わせた形状をそれぞれ有している。表示制御部３１は、特定対象物Ａ２１と比較対象物Ｂ２１、Ｂ２２、Ｃ２１とを含む複数の対象物を表示部１１に表示することにより、被験者に特定対象物Ａ２１を見つけさせると共に、見つけさせた特定対象物Ａ２１を注視させる。ここでは、正解である特定対象物Ａ２１に含まれる三角形に対して１つ異なる数の角（四角形、台形）を有する比較対象物Ｂ２１、Ｂ２２を第１比較対象物Ｂ１１、Ｂ１２とする。また、三角形の角の数に対して２つ以上異なる数の角を有する比較対象物Ｃ２１を第２比較対象物Ｃ２１とする。
【００６１】
領域設定部３３は、第１回答パターンＰ２１が表示される期間、課題情報Ｉ２に対して正解となる特定対象物Ａ２１に対応した特定領域Ａを設定する。領域設定部３３は、特定対象物Ａ２１の少なくとも一部を含む領域に特定領域Ａを設定することができる。本実施形態において、領域設定部３３は、特定対象物Ａ２１を含む矩形の領域に特定領域Ａを設定する。
【００６２】
また、領域設定部３３は、課題情報Ｉ２に対して不正解となる比較対象物Ｂ２１、Ｂ２２、Ｃ２１に対応した比較領域Ｂ、Ｃを設定する。領域設定部３３は、比較領域Ｂ、Ｃのうち、第１比較対象物Ｂ２１、Ｂ２２に対応した第１比較領域Ｂと、第２比較対象物Ｃ２１に対応した第２比較領域Ｃと、を別個に設定する。
【００６３】
領域設定部３３は、第１比較対象物Ｂ２１、Ｂ２２の少なくとも一部を含む領域にそれぞれ第１比較領域Ｂを設定することができる。また、領域設定部３３は、第２比較対象物Ｃ２１の少なくとも一部を含む領域に第２比較領域Ｃを設定することができる。本実施形態において、領域設定部３３は、第１比較対象物Ｂ２１、Ｂ２２、第２比較対象物Ｃ２１を含む矩形の領域に、第１比較領域Ｂ、第２比較領域Ｃをそれぞれ設定する。また、領域設定部３３は、特定領域Ａと、第１比較領域Ｂと、第２比較領域Ｃとが重ならないように表示部１１に設定する。
【００６４】
図１０は、２回目に表示する回答パターンの他の例を示す図である。表示制御部３１は、第１回答パターンＰ２１に対して少なくとも１つの配置が異なる状態の特定対象物Ａ２１、及び比較対象物Ｂ２１、Ｂ２２、Ｃ２１を、第２回答パターンＰ２２として表示部１１に表示する。第２回答パターンＰ２２では、例えば特定対象物Ａ２１、及び比較対象物Ｂ２１、Ｂ２２、Ｃ２１の全ての配置が第１回答パターンＰ２１とは異なっている。
【００６５】
第２回答パターンＰ２２における特定対象物Ａ２１、及び比較対象物Ｂ２１、Ｂ２２、Ｃ２１の配置が第１回答パターンＰ２１とは異なるため、領域設定部３３は、第２回答パターンＰ２２に対応した特定領域Ａ及び比較領域Ｂ、Ｃの設定を行う。この場合、領域設定部３３は、第１回答パターンＰ２１における領域設定を解除し、第２回答パターンＰ２２における特定対象物Ａ２１に対応した特定領域Ａを設定し、比較対象物Ｂ２１、Ｂ２２、Ｃ２１に対応した第１比較領域Ｂ、第２比較領域Ｃを設定する。領域設定部３３は、特定領域Ａと、第１比較領域Ｂと、第２比較領域Ｃとが重ならないように表示部１１に設定する。
【００６６】
図１１は、３回目に表示する回答パターンの他の例を示す図である。表示制御部３１は、第１回答パターンＰ２１及び第２回答パターンＰ２２に対して少なくとも１つの配置が異なる状態の特定対象物Ａ２１、及び比較対象物Ｂ２１、Ｂ２２、Ｃ２１を、第３回答パターンＰ２３として表示部１１に表示する。第３回答パターンＰ２３では、例えば特定対象物Ａ２１、及び比較対象物Ｂ２２、Ｃ２１の配置が第１回答パターンＰ２１とは異なっており、特定対象物Ａ２１、及び比較対象物Ｂ２１、Ｂ２２、Ｃ２１の全ての配置が第２回答パターンＰ２２とは異なっている。
【００６７】
第３回答パターンＰ２３における特定対象物Ａ２１、及び比較対象物Ｂ２１、Ｂ２２、Ｃ２１の少なくとも１つの配置が第１回答パターンＰ２１及び第２回答パターンＰ２２とは異なるため、領域設定部３３は、第３回答パターンＰ２３に対応した特定領域Ａ及び比較領域Ｂ、Ｃの設定を行う。この場合、領域設定部３３は、第２回答パターンＰ２２における領域設定を解除し、第３回答パターンＰ２３における特定対象物Ａ２１に対応した特定領域Ａを設定し、比較対象物Ｂ２１、Ｂ２２、Ｃ２１に対応した第１比較領域Ｂ、第２比較領域Ｃを設定する。領域設定部３３は、特定領域Ａと、第１比較領域Ｂと、第２比較領域Ｃとが重ならないように表示部１１に設定する。
【００６８】
図１２は、表示部１１に表示する課題の他の例を示す図である。図１２に示すように、表示制御部３１は、表示部１１に表示される複数の対象物のうち属性が異なる対象物を注視するように指示する内容の課題情報Ｉ３を表示部１１に表示する。
【００６９】
図１３から図１５は、表示部１１に表示する回答パターンの他の例を示す図である。図１３は、１回目に表示する回答パターンの他の例を示す図である。図１３に示すように、表示制御部３１は、課題情報Ｉ３に対して正解となる特定対象物Ａ３１と、課題情報Ｉ３に対して不正解となる複数の比較対象物Ｂ３１、Ｃ３１〜Ｃ３４とを第１回答パターンＰ３１として表示部１１に表示する。
【００７０】
図１３に示す例において、第１回答パターンＰ３１には、４種類の魚の画像と、イカの画像と、ヤカンの画像とが表示部１１に表示されている。４種類の魚及びイカは、水中の生物としての属性を有している。ヤカンは、水中の生物としての属性を有していない。また、上記の４種類の魚は、水中の生物であるという属性を有すると共に、魚類であるという属性を有している。一方、イカは、水中の生物であるが、魚類ではないため、水中の生物としての属性を有しているが魚類であるという属性を有していない。また、ヤカンは、水中の生物でもなく、魚類でもないため、水中の生物としての属性及び魚類であるという属性を有していない。
【００７１】
したがって、課題情報Ｉ３に対して正解となる特定対象物Ａ３１は、ヤカンの画像となる。また、課題情報Ｉ３に対して正解となる比較対象物は、４種類の魚の画像と、イカの画像となる。ここで、水中の生物としての属性を有するが、魚類であるという属性を有しないイカの画像を第１比較対象物Ｂ３１とし、水中の生物としての属性及び魚類であるという属性を有する４種類の魚の画像を第２比較対象物Ｃ３１〜Ｃ３４とする。
【００７２】
領域設定部３３は、第１回答パターンＰ３１が表示される期間、課題情報Ｉ３に対して正解となる特定対象物Ａ３１に対応した特定領域Ａを設定する。領域設定部３３は、特定対象物Ａ３１を含む矩形の領域に特定領域Ａを設定する。また、領域設定部３３は、課題情報Ｉ３に対して不正解となる比較対象物Ｂ３１、Ｃ３１〜Ｃ３４に対応した比較領域Ｂ、Ｃを設定する。領域設定部３３は、比較対象物Ｂ３１、Ｃ３１〜Ｃ３４のうち、第１比較対象物Ｂ３１に対応した第１比較領域Ｂと、第２比較対象物Ｃ３１〜Ｃ３４に対応した第２比較領域Ｃとを比較領域として別個に設定する。領域設定部３３は、第１比較対象物Ｂ３１、第２比較対象物Ｃ３１〜Ｃ３４を含む矩形の領域に第１比較領域Ｂ、第２比較領域Ｃをそれぞれ設定する。また、領域設定部３３は、特定領域Ａと、第１比較領域Ｂと、第２比較領域Ｃとが重ならないように表示部１１に設定する。
【００７３】
図１４は、２回目に表示する回答パターンの一例を示す図である。表示制御部３１は、第１回答パターンＰ３１に対して少なくとも１つの配置が異なる状態の特定対象物Ａ３１、及び比較対象物Ｂ３１、Ｃ３１〜Ｃ３４を、第２回答パターンＰ３２として表示部１１に表示する。第２回答パターンＰ３２では、例えば特定対象物Ａ３１、及び比較対象物Ｂ３１、Ｃ３１〜Ｃ３４の全ての配置が第１回答パターンＰ３１とは異なっている。
【００７４】
第２回答パターンＰ３２における特定対象物Ａ３１、及び比較対象物Ｂ３１、Ｃ３１〜Ｃ３４の配置が第１回答パターンＰ３１とは異なるため、領域設定部３３は、第２回答パターンＰ３２に対応した特定領域Ａ及び比較領域Ｂ、Ｃの設定を行う。この場合、領域設定部３３は、第１回答パターンＰ３１における領域設定を解除し、第２回答パターンＰ３２における特定対象物Ａ３１に対応した特定領域Ａを設定し、比較対象物Ｂ３１、Ｃ３１〜Ｃ３４に対応した第１比較領域Ｂ、第２比較領域Ｃを設定する。領域設定部３３は、特定領域Ａと、第１比較領域Ｂと、第２比較領域Ｃとが重ならないように表示部１１に設定する。
【００７５】
図１５は、３回目に表示する回答パターンの他の例を示す図である。表示制御部３１は、第１回答パターンＰ３１及び第２回答パターンＰ３２に対して少なくとも１つの配置が異なる状態の特定対象物Ａ３１、及び比較対象物Ｂ３１、Ｃ３１〜Ｃ３４を、第３回答パターンＰ３３として表示部１１に表示する。第３回答パターンＰ３３では、例えば特定対象物Ａ３１、及び比較対象物Ｂ３１、Ｃ３１〜Ｃ３４の全ての配置が第１回答パターンＰ３１及び第２回答パターンＰ３２とは異なっている。
【００７６】
第３回答パターンＰ３３における特定対象物Ａ３１、及び比較対象物Ｂ３１、Ｃ３１〜Ｃ３４の配置が第２回答パターンＰ３２とは異なるため、領域設定部３３は、特定領域Ａ及び比較領域Ｂ、Ｃの設定を行う。この場合、領域設定部３３は、第２回答パターンＰ３２における領域設定を解除し、第３回答パターンＰ３３における特定対象物Ａ３１に対応した特定領域Ａを設定し、比較対象物Ｂ３１、Ｃ３１〜Ｃ３４に対応した第１比較領域Ｂ、第２比較領域Ｃを設定する。領域設定部３３は、特定領域Ａと、第１比較領域Ｂと、第２比較領域Ｃとが重ならないように表示部１１に設定する。
【００７７】
図１６は、表示部１１に表示する課題の他の例を示す図である。図１６に示すように、表示制御部３１は、課題対象物Ｍ４の図柄を記憶し、記憶した課題対象物Ｍ４と同一の対象物を選択させる、という内容の課題情報Ｉ４を表示部１１に表示する。表示制御部３１は、課題対象物Ｍ４と課題情報Ｉ４とが重ならないように表示部１１に表示する。
【００７８】
図１７から図１９は、表示部１１に表示する回答パターンの他の例を示す図である。図１７は、１回目に表示する回答パターンの他の例を示す図である。図１７に示すように、表示制御部３１は、課題情報Ｉ４に対して正解となる特定対象物Ａ４１と、課題情報Ｉ４に対して不正解となる複数の比較対象物Ｂ４１、Ｂ４２とを第１回答パターンＰ４１として表示部１１に表示する。図１７に示す例において、表示制御部３１は、例えば課題対象物Ｍ４を構成する図形（例、五角形）と同一の図形を用いて形成された図柄を比較対象物Ｂ４１、Ｂ４２として表示する。このように、特定対象物Ａ４１と比較対象物Ｂ４１、Ｂ４２とを類似する図形として表示することにより、被験者の図形認識機能についても評価することができる。
【００７９】
領域設定部３３は、課題情報Ｉ４に対して正解となる特定対象物Ａ４１に対応した特定領域Ａを設定する。領域設定部３３は、特定対象物Ａ４１を含む矩形の領域に特定領域Ａを設定する。また、領域設定部３３は、課題情報Ｉ４に対して不正解となる比較対象物Ｂ４１、Ｂ４２に対応した比較領域Ｂを設定する。領域設定部３３は、比較対象物Ｂ４１、Ｂ４２を含む矩形の領域に比較領域Ｂを設定する。また、領域設定部３３は、特定領域Ａと、比較領域Ｂとが重ならないように表示部１１に設定する。
【００８０】
領域設定部３３は、第１回答パターンＰ４１が表示される期間、課題情報Ｉ４に対して正解となる特定対象物Ａ４１に対応した特定領域Ａを設定する。領域設定部３３は、特定対象物Ａ４１の少なくとも一部を含む領域に特定領域Ａを設定することができる。本実施形態において、領域設定部３３は、特定対象物Ａ４１を含む矩形の領域に特定領域Ａを設定する。
【００８１】
また、領域設定部３３は、第１回答パターンＰ４１が表示される期間、課題情報Ｉ４に対して不正解となる比較対象物Ｂ４１、Ｂ４に対応した比較領域Ｂを設定する。領域設定部３３は、比較対象物Ｂ４１、Ｂ４２の少なくとも一部を含む領域にそれぞれ比較領域Ｂを設定することができる。本実施形態において、領域設定部３３は、比較対象物Ｂ４１、Ｂ４２を含む矩形の領域に、比較領域Ｂを設定する。
【００８２】
図１８は、２回目に表示する回答パターンの他の例を示す図である。表示制御部３１は、第１回答パターンＰ４１に対して少なくとも１つの配置が異なる状態の特定対象物Ａ４１、及び比較対象物Ｂ４１、Ｂ４２を、第２回答パターンＰ４２として表示部１１に表示する。第２回答パターンＰ４２では、例えば特定対象物Ａ４１、及び比較対象物Ｂ４１、Ｂ４２の全ての配置が第１回答パターンＰ４１とは異なっている。
【００８３】
第２回答パターンＰ４２における特定対象物Ａ４１、及び比較対象物Ｂ４１、Ｂ４２の配置が第１回答パターンＰ４１とは異なるため、領域設定部３３は、第２回答パターンＰ４２に対応した特定領域Ａ及び比較領域Ｂの設定を行う。この場合、領域設定部３３は、第１回答パターンＰ４１における領域設定を解除し、第２回答パターンＰ４２における特定対象物Ａ４１に対応した特定領域Ａを設定し、比較対象物Ｂ４１、Ｂ４２に対応した比較領域Ｂを設定する。領域設定部３３は、特定領域Ａと、比較領域Ｂとが重ならないように表示部１１に設定する。
【００８４】
図１９は、３回目に表示する回答パターンの他の例を示す図である。表示制御部３１は、第１回答パターンＰ４１及び第２回答パターンＰ４２に対して少なくとも１つの配置が異なる状態の特定対象物Ａ４１、及び比較対象物Ｂ４１、Ｂ４２を、第３回答パターンＰ４３として表示部１１に表示する。第３回答パターンＰ４３では、特定対象物Ａ４１、及び比較対象物Ｂ４１、Ｂ４２の全ての配置が第１回答パターンＰ４１及び第２回答パターンＰ４２とは異なっている。
【００８５】
第３回答パターンＰ４３における特定対象物Ａ４１、及び比較対象物Ｂ４１、Ｂ４２の配置が第２回答パターンＰ４２とは異なるため、領域設定部３３は、第３回答パターンＰ４３に対応した特定領域Ａ及び比較領域Ｂの設定を行う。この場合、領域設定部３３は、第２回答パターンＰ４２における領域設定を解除し、第３回答パターンＰ４３における特定対象物Ａ４１に対応した特定領域Ａを設定し、比較対象物Ｂ４１、Ｂ４２に対応した比較領域Ｂを設定する。領域設定部３３は、特定領域Ａと、比較領域Ｂとが重ならないように表示部１１に設定する。
【００８６】
図２０は、本実施形態に係る評価方法の一例を示すフローチャートである。図２０に示すように、演算部３５は、特定領域Ａ及び比較領域Ｂ、Ｃにおける存在時間データをカウントするカウンタ（ＡＡ１、ＡＡ２、ＡＡ３、ＡＢ１、ＡＢ２、ＡＢ３、ＡＣ１、ＡＣ２、ＡＣ３）をリセットする（ステップＳ１０１）。
【００８７】
次に、表示制御部３１は、被験者に対して課題情報を表示する（ステップＳ１０２）。課題情報を表示した後、表示制御部３１は、特定対象物と比較対象物とが配置される回答パターンを、当該回答パターンにおける特定対象物及び比較対象物の少なくとも一方の配置がそれぞれ異なるように複数回連続で表示部１１に表示する（ステップＳ１０３〜ステップＳ１０５）。
【００８８】
図２１は、回答処理（１回目）の一例を示すフローチャートである。図２１に示すように、表示制御部３１は、特定対象物及び比較対象物を配置した第１回答パターンの映像を表示部１１に表示する（ステップＳ２０１）。演算部３５は、映像部分までの待ち時間を経過した後、タイマＴ１を設定する（ステップＳ２０２）。タイマＴ１は、第１回答パターンの映像が終了するタイミングを得るためのタイマである。
【００８９】
注視点検出部３２は、表示部１１に表示された映像を被験者に見せた状態で、規定のサンプリング周期（例えば２０［ｍｓｅｃ］）毎に、表示部１１における被験者の注視点の位置データを検出する（ステップＳ２０３）。判定部３４は、検出された位置データに基づいて注視点Ｐが存在する領域を判定する（ステップＳ２０４）。
【００９０】
注視点Ｐが特定領域Ａに存在すると判定された場合（ステップＳ２０５のＹｅｓ）、演算部３５は、特定領域Ａでの存在時間データを示すカウント値ＡＡ１を＋１とする（ステップＳ２０６）。その後、演算部３５は、後述するステップＳ２１１以降の処理を行う。
【００９１】
また、注視点Ｐが特定領域Ａに存在しないと判定された場合（ステップＳ２０５のＮｏ）、演算部３５は、注視点Ｐが比較領域Ｂに存在するか否かを判定する（ステップＳ２０７）。注視点Ｐが比較領域Ｂに存在すると判定された場合（ステップＳ２０７のＹｅｓ）、演算部３５は、比較領域Ｂでの存在時間データを示すカウント値ＡＢ１を＋１とする（ステップＳ２０８）。その後、演算部３５は、後述するステップＳ２１１以降の処理を行う。
【００９２】
また、注視点Ｐが比較領域Ｂに存在しないと判定された場合（ステップＳ２０７のＮｏ）、演算部３５は、注視点Ｐが比較領域Ｃに存在するか否かを判定する（ステップＳ２０９）。注視点Ｐが比較領域Ｃに存在すると判定された場合（ステップＳ２０９のＹｅｓ）、演算部３５は、比較領域Ｃでの存在時間データを示すカウント値ＡＣ１を＋１とする（ステップＳ２１０）。その後、演算部３５は、後述するステップＳ２１１以降の処理を行う。注視点Ｐが比較領域Ｃに存在しないと判定された場合（ステップＳ２０９のＮｏ）、演算部３５は、後述するステップＳ２１１以降の処理を行う。
【００９３】
その後、演算部３５は、タイマＴ１の検出結果に基づいて、映像の再生が完了する時刻に到達したか否かを判断する（ステップＳ２１１）。演算部３５により映像の再生が完了する時刻に到達していないと判断された場合（ステップＳ２１１のＮｏ）、上記のステップＳ２０３以降の処理を繰り返し行う。
【００９４】
演算部３５により映像の再生が完了する時刻に到達したと判断された場合（ステップＳ２１１のＹｅｓ）、表示制御部３１は、第１回答パターンの映像を停止させ、２回目の回答処理を行う。
【００９５】
図２２は、回答処理（２回目）の一例を示すフローチャートである。図２２に示すように、２回目の回答処理では、１回目の回答処理と同様の処理を行う。つまり、特定対象物及び比較対象物を配置した第２回答パターンの映像の表示（ステップＳ３０１）、タイマＴ２の設定（ステップＳ３０２）、被験者の注視点の位置データの検出（ステップＳ３０３）、注視点が存在する領域の判定（ステップＳ３０４）を行う。タイマＴ２は、第２回答パターンの映像が終了するタイミングを得るためのタイマである。
【００９６】
その後、演算部３５は、特定領域Ａ、比較領域Ｂ、Ｃのそれぞれについて注視点が存在するか否かを判定し（ステップＳ３０５、Ｓ３０７、Ｓ３０９）、存在する場合には、特定領域Ａ、比較領域Ｂ、Ｃのそれぞれの存在時間データを示すカウント値ＡＡ２、ＡＢ２、ＡＣ２を＋１とする（ステップＳ３０６、Ｓ３０８、Ｓ３１０）。
【００９７】
その後、演算部３５は、タイマＴ１の検出結果に基づいて、映像の再生が完了する時刻に到達したか否かを判断する（ステップＳ３１１）。演算部３５により映像の再生が完了する時刻に到達していないと判断された場合（ステップＳ３１１のＮｏ）、上記のステップＳ３０３以降の処理を繰り返し行う。
【００９８】
演算部３５により映像の再生が完了する時刻に到達したと判断された場合（ステップＳ３１１のＹｅｓ）、表示制御部３１は、第２回答パターンの映像を停止させ、３回目の回答処理を行う。
【００９９】
図２３は、回答処理（３回目）の一例を示すフローチャートである。図２３に示すように、３回目の回答処理では、１回目及び２回目の回答処理と同様の処理を行う。つまり、特定対象物及び比較対象物を配置した第３回答パターンの映像の表示（ステップＳ４０１）、タイマＴ３の設定（ステップＳ４０２）、被験者の注視点の位置データの検出（ステップＳ４０３）、注視点が存在する領域の判定（ステップＳ４０４）を行う。タイマＴ３は、第３回答パターンの映像が終了するタイミングを得るためのタイマである。
【０１００】
その後、演算部３５は、特定領域Ａ、比較領域Ｂ、Ｃのそれぞれについて注視点が存在するか否かを判定し（ステップＳ４０５、Ｓ４０７、Ｓ４０９）、存在する場合には特定領域Ａ、比較領域Ｂ、Ｃのそれぞれの存在時間データを示すカウント値ＡＡ３、ＡＢ３、ＡＣ３を＋１とする（ステップＳ４０６、Ｓ４０８、Ｓ４１０）。
【０１０１】
その後、演算部３５は、タイマＴ３の検出結果に基づいて、映像の再生が完了する時刻に到達したか否かを判断する（ステップＳ４１１）。演算部３５により映像の再生が完了する時刻に到達していないと判断された場合（ステップＳ４１１のＮｏ）、上記のステップＳ４０３以降の処理を繰り返し行う。
【０１０２】
演算部３５により映像の再生が完了する時刻に到達したと判断された場合（ステップＳ４１１のＹｅｓ）、表示制御部３１は、第３回答パターンの映像を停止させる。
【０１０３】
全ての回答パターンを表示した後、図２０に示すように、評価部３６は、上記のステップＳ１０３〜ステップＳ１０５で得られる存在時間データ（特定存在時間データ、第１比較存在時間データ及び第２比較存在時間データ）に基づいて、評価値を算出し、評価値に基づいて評価データを求める（ステップＳ１０６）。その後、入出力制御部３７は、評価部３６で求められた評価データを出力する（ステップＳ１０７）。
【０１０４】
以上のように、本実施形態に係る評価装置１００は、表示部１１と、表示部１１を観察する被験者の注視点の位置を検出する注視点検出部（検出部）３２と、被験者に提示される課題に対して正解となる特定対象物と、特定対象物とは異なる比較対象物とを含む画像を表示部１１に表示する表示制御部３１と、特定対象物に対応した特定領域Ａと、比較対象物に対応した比較領域Ｂ、Ｃとを設定する領域設定部３３と、注視点の位置に基づいて、注視点が特定領域Ａ及び比較領域Ｂ、Ｃに存在するかをそれぞれ判定する判定部３４と、判定部３４の判定結果に基づいて、注視点データを算出する演算部３５と、注視点データに基づいて、被験者の評価データを求める評価部３６とを備え、表示制御部３１は、画像として、特定対象物及び比較対象物の少なくとも一方の配置が異なる複数の回答パターンを表示部１１に複数回表示する。
【０１０５】
本発明に係る評価方法は、表示部１１に画像を表示することと、表示部１１を観察する被験者の注視点の位置を検出することと、被験者に提示される課題に対して正解となる特定対象物と、特定対象物とは異なる比較対象物とを含む画像を表示部１１に表示することと、特定対象物に対応した特定領域Ａと、比較対象物に対応した比較領域Ｂ、Ｃとを設定することと、注視点の位置に基づいて、注視点が特定領域Ａ及び比較領域Ｂ、Ｃに存在するかをそれぞれ判定することと、判定結果に基づいて、注視点データを算出することと、注視点データに基づいて、被験者の評価データを求めることとを含み、画像を表示部１１に表示する場合に、特定対象物及び比較対象物の少なくとも一方の配置が異なる複数の回答パターンを表示部１１に複数回表示する。
【０１０６】
本発明に係る評価プログラムは、表示部１１に画像を表示する処理と、表示部１１を観察する被験者の注視点の位置を検出する処理と、被験者に提示される課題に対して正解となる特定対象物と、特定対象物とは異なる比較対象物とを含む画像を表示部１１に表示する処理と、特定対象物に対応した特定領域Ａと、比較対象物に対応した比較領域Ｂ、Ｃとを設定する処理と、注視点の位置に基づいて、注視点が特定領域Ａ及び比較領域Ｂ、Ｃに存在するかをそれぞれ判定する処理と、判定結果に基づいて、注視点データを算出する処理と、注視点データに基づいて、被験者の評価データを求める処理とをコンピュータに実行させ、画像を表示部１１に表示する処理では、特定対象物及び比較対象物の少なくとも一方の配置が異なる複数の回答パターンを表示部１１に複数回表示する。
【０１０７】
本実施形態によれば、１つの課題に対して、回答パターンにおける特定対象物及び比較対象物の配置を変更して複数回連続で表示させるものである。したがって、短時間で評価を行うことができ、かつ正解の偶然性を排除することができる。また、複数回の結果から評価を行うため、１回の結果で正解か否かを判断して評価を行う方法よりも評価精度を向上させることができる。
【０１０８】
本実施形態に係る評価装置１００において、演算部３５は、回答パターンごとに注視点データを算出し、評価部３６は、算出結果に対して回答パターンごとに異なる重み付けをして評価データを求める。これにより、被検者の迷い等を評価に加えることが可能であるため、評価精度を向上させることができる。
【０１０９】
［評価装置の他の例］  
図２４は、他の例に係る評価装置２００を示す図である。図２４に示す評価装置２００は、タブレット型の携帯端末である。評価装置２００は、表示装置１１０と、制御装置１３０と、入力装置１５０とを備える。表示装置１１０は、表示部１１１を有する。表示部１１１は、液晶ディスプレイ又は有機ＥＬディスプレイのようなフラットパネルディスプレイを含む。
【０１１０】
制御装置１３０は、評価装置２００の動作を統括的に制御する。制御装置１３０は、不図示の演算処理装置及び記憶装置を含む。演算処理装置は、ＣＰＵのようなマイクロプロセッサを含む。記憶装置は、ＲＯＭ及びＲＡＭのようなメモリ又はストレージを含む。演算処理装置は、記憶装置に記憶されているコンピュータプログラムに従って演算処理を実施する。
【０１１１】
入力装置１５０は、表示部１１１に設けられたタッチパネル１５１と、評価装置２００の筐体部分に設けられるボタン１５２とを有する。被験者がタッチパネル１５１にタッチした場合、当該タッチした入力点についての位置データが制御装置１３０に送信される。制御装置１３０は、タッチパネル１５１からの位置データに基づいて、被験者によってタッチされる表示部１１１上の入力点の位置データを検出する。本例において、入力点は、被験者にタッチされることで指定される表示部１１１上の指定点である。
【０１１２】
図２５は、制御装置１３０の一例を示すブロック図である。制御装置１３０は、表示制御部１３１と、タッチ入力検出部（検出部）１３２と、領域設定部１３３と、判定部１３４と、演算部１３５と、評価部１３６と、入出力制御部１３７と、記憶部１３８とを有する。
【０１１３】
表示制御部１３１は、上記実施形態と同様に、被験者に対する課題情報を表示部１１１に所定期間表示する。その後、被験者に提示される課題に対して正解となる画像である特定対象物と、特定対象物とは異なる画像である比較対象物とが配置される回答パターンを表示部１１１に表示する。この場合、表示制御部１３１は、回答パターンにおける特定対象物及び比較対象物の少なくとも一方の配置が各回でそれぞれ異なるように複数回連続で表示部１１１に表示する。例えば、上記実施形態において説明した内容と同様の課題情報、第１回答パターン、第２回答パターン、第３回答パターンを表示部１１１に表示することができる。
【０１１４】
タッチ入力検出部１３２は、タッチパネル１５１からの位置データに基づいて、被験者がタッチした表示部１１１上の入力点を検出する。
【０１１５】
領域設定部１３３は、第１回答パターン、第２回答パターン、及び第３回答パターンのそれぞれにおいて特定対象物及び比較対象物の配置が異なるため、各回答パターンに対応した特定領域Ａ及び比較領域Ｂ、Ｃの設定を行う。
【０１１６】
判定部１３４は、入力点の位置データに基づいて、入力点が特定領域Ａ及び比較領域Ｂ、Ｃに存在するか否かをそれぞれ判定し、判定データを出力する。
【０１１７】
演算部１３５は、判定部１３４の判定データに基づいて、回答パターンが表示される期間における入力点データを算出する。当該入力点データは、入力点を指定する経過を示す指定点データである。入力点データは、例えば特定領域Ａ及び比較領域Ｂ、Ｃのどの領域が選択されたかを示す領域選択データを含む。また、入力点データは、回答パターンの表示開始から特定領域Ａ及び比較領域Ｂ、Ｃの１つがタッチ入力により選択されるまでの時間を示す入力時間データを含んでもよい。
【０１１８】
演算部１３５は、特定領域Ａ及び比較領域Ｂ、Ｃにおいてタッチ入力により選択された状態を保存するレジスタ（ＲＡ１、ＲＡ２、ＲＡ３、ＲＢ１、ＲＢ２、ＲＢ３、ＲＣ１、ＲＣ２、ＲＣ３）を有する。また、演算部１３５は、表示部１１１に評価用映像が表示されてからの経過時間を検出するタイマを有してもよい。
【０１１９】
評価部１３６は、入力点データに基づいて、被験者の評価データを求める。評価データは、表示部１１１に表示される特定対象物及び比較対象物を被験者が注視できているかを評価するデータを含む。
【０１２０】
入出力制御部１３７は、入力装置１５０からのデータ（タッチ入力等）を取得する。また、入出力制御部１３７は、表示装置１１０及び不図示のスピーカ等の出力装置の少なくとも一方にデータを出力する。入出力制御部１３７は、被験者に対する課題をスピーカ等の出力装置から出力してもよい。また、入出力制御部１３７は、回答パターンが複数回連続で表示される場合に、再度特定対象物を注視させるための指示をスピーカ等の出力装置から出力してもよい。
【０１２１】
図２６は、評価装置２００を用いた評価方法の一例を示すフローチャートである。図２６に示すように、演算部１３５は、特定領域Ａ及び比較領域Ｂ、Ｃにおいてタッチ入力により選択された状態を保存するレジスタ（ＲＡ１、ＲＡ２、ＲＡ３、ＲＢ１、ＲＢ２、ＲＢ３、ＲＣ１、ＲＣ２、ＲＣ３）をリセットする（ステップＳ５０１）。
【０１２２】
次に、表示制御部１３１は、被験者に対して課題情報を表示する（ステップＳ５０２）。課題情報を表示した後、表示制御部１３１は、特定対象物と比較対象物とが配置される回答パターンを、当該回答パターンにおける特定対象物及び比較対象物の少なくとも一方の配置がそれぞれ異なるように複数回連続で表示部１１１に表示する（ステップＳ５０３〜ステップＳ５０５）。
【０１２３】
図２７は、回答処理（１回目）の一例を示すフローチャートである。図２７に示すように、表示制御部１３１は、特定対象物及び比較対象物を配置した第１回答パターンの映像を表示部１１１に表示する（ステップＳ６０１）。演算部１３５は、入力時間データを算出する場合には、タイマを設定する。タッチ入力検出部１３２は、映像部分までの待ち時間を経過した後、タッチパネル１５１におけるタッチ入力の検出を開始する（ステップＳ６０２）。タッチ入力検出部１３２は、まず、タッチ入力の有無を検出する（ステップＳ６０３）。タッチ入力が無い場合（ステップＳ６０３のＹｅｓ）、ステップＳ６０３の処理を繰り返し行う。タッチ入力検出部１３２は、タッチ入力があると判定した場合には（ステップＳ６０３のＮｏ）、タッチ入力が行われた入力点の位置データに基づいて、入力点が存在する領域を検出する（ステップＳ６０４）。
【０１２４】
入力点が特定領域Ａに存在すると判定された場合（ステップＳ６０５のＹｅｓ）、演算部１３５は、特定領域ＡについてのレジスタＲＡ１の値を１とする（ステップＳ６０６）。
【０１２５】
また、入力点が特定領域Ａに存在しないと判定された場合（ステップＳ６０５のＮｏ）、演算部１３５は、入力点が比較領域Ｂに存在するか否かを判定する（ステップＳ６０７）。入力点が比較領域Ｂに存在すると判定された場合（ステップＳ６０７のＹｅｓ）、演算部１３５は、比較領域ＢについてのレジスタＲＢ１の値を１とする（ステップＳ６０８）。
【０１２６】
また、入力点が比較領域Ｂに存在しないと判定された場合（ステップＳ６０７のＮｏ）、演算部１３５は、入力点が比較領域Ｃに存在するか否かを判定する（ステップＳ６０９）。入力点が比較領域Ｃに存在すると判定された場合（ステップＳ６０９のＹｅｓ）、演算部１３５は、比較領域ＣについてのレジスタＲＣ１の値を１とする（ステップＳ６１０）。
【０１２７】
ステップＳ６０６、Ｓ６０８、Ｓ６１０のいずれかの処理が行われた場合、またはステップＳ６０９において入力点が比較領域Ｃに存在しないと判定された場合（ステップＳ６０９のＮｏ）、表示制御部１３１は、第１回答パターンの映像を停止させ、１回目の回答処理を終了する。その後、２回目の回答処理を行う。
【０１２８】
図２８は、回答処理（２回目）の一例を示すフローチャートである。図２８に示すように、２回目の回答処理では、１回目の回答処理と同様の処理を行う。つまり、特定対象物及び比較対象物を配置した第２回答パターンの映像の表示（ステップＳ７０１）、タイマの設定、タッチ入力の検出開始（ステップＳ７０２）、タッチ入力の有無の検出（ステップＳ７０３）、入力点が存在する領域の検出（ステップＳ７０４）を行う。
【０１２９】
その後、演算部１３５は、特定領域Ａ、比較領域Ｂ、Ｃのそれぞれについて入力点が存在するか否かを判定し（ステップＳ７０５、Ｓ７０７、Ｓ７０９）、存在する場合には、特定領域Ａ、比較領域Ｂ、ＣのそれぞれについてのレジスタＲＡ２、ＲＢ２、ＲＣ２の値を１とする（ステップＳ７０６、Ｓ７０８、Ｓ７１０）。
【０１３０】
ステップＳ７０６、Ｓ７０８、Ｓ７１０のいずれかの処理が行われた場合、またはステップＳ７０９において入力点が比較領域Ｃに存在しないと判定された場合（ステップＳ７０９のＮｏ）、表示制御部１３１は、第２回答パターンの映像を停止させ、２回目の回答処理を終了する。その後、３回目の回答処理を行う。
【０１３１】
図２９は、回答処理（３回目）の一例を示すフローチャートである。図２９に示すように、３回目の回答処理では、１回目及び２回目の回答処理と同様の処理を行う。つまり、特定対象物及び比較対象物を配置した第３回答パターンの映像の表示（ステップＳ８０１）、タイマの設定、タッチ入力の検出開始（ステップＳ８０２）、タッチ入力の有無の検出（ステップＳ８０３）、入力点が存在する領域の検出（ステップＳ８０４）を行う。
【０１３２】
その後、演算部１３５は、特定領域Ａ、比較領域Ｂ、Ｃのそれぞれについて入力点が存在するか否かを判定し（ステップＳ８０５、Ｓ８０７、Ｓ８０９）、存在する場合には、特定領域Ａ、比較領域Ｂ、ＣのそれぞれについてのレジスタＲＡ３、ＲＢ３、ＲＣ３の値を１とする（ステップＳ８０６、Ｓ８０８、Ｓ８１０）。
【０１３３】
ステップＳ８０６、Ｓ８０８、Ｓ８１０のいずれかの処理が行われた場合、またはステップＳ８０９において入力点が比較領域Ｃに存在しないと判定された場合（ステップＳ８０９のＮｏ）、表示制御部１３１は、第３回答パターンの映像を停止させ、３回目の回答処理を終了する。
【０１３４】
全ての回答パターンを表示した後、図２６に示すように、評価部１３６は、上記のステップＳ５０３〜ステップＳ５０５で得られる入力点データ（領域選択データ、入力時間データ）に基づいて、評価値を算出し、評価値に基づいて評価データを求める（ステップＳ５０６）。その後、入出力制御部１３７は、評価部１３６で求められた評価データを出力する（ステップＳ５０７）。
【０１３５】
ステップＳ５０６において、評価部１３６は、例えば、以下のように評価値ＡＮＳ４を求めることができる。つまり、
ＡＮＳ４＝Ｋ１・ＲＡ１＋Ｋ２・ＲＡ２＋Ｋ３・ＲＡ３
とすることができる。なお、定数Ｋ１〜Ｋ３は、重み付けのための定数である。ここでは、例えば、
Ｋ３＞Ｋ２＞Ｋ１
とすることができる。つまり、表示回数が多くなるほど、正解した場合の評価値ＡＮＳ４が高くなる。また、第１比較領域Ｂ、及び第２比較領域Ｃに注視点が存在する場合でも評価値ＡＮＳ４が変わらない。
【０１３６】
また、評価部１３６は、以下のように評価値ＡＮＳ５を求めてもよい。つまり、
ＡＮＳ５＝Ｋ１・（ＲＡ１−Ｋ４・ＲＢ１−Ｋ５・ＲＣ１）
＋Ｋ２・（ＲＡ２−Ｋ４・ＲＢ２−Ｋ５・ＲＣ２）
＋Ｋ３・（ＲＡ３−Ｋ４・ＲＢ３−Ｋ５・ＲＣ３）
とすることができる。なお、定数Ｋ４、Ｋ５は、重み付けのための定数である。ここでは、例えば、
０＜Ｋ４＜１、０＜Ｋ５＜１  かつ  Ｋ４＜Ｋ５
とすることができる。なお、健常者が間違える確率が最も低い図柄に対して第２比較領域Ｃを設定している。
この場合も、表示回数が多くなるほど、正解した場合の評価値ＡＮＳ５が高くなる。一方、第１比較領域Ｂ又は第２比較領域Ｃに注視点が存在する場合、評価値ＡＮＳ５は減少する。また、第１比較領域Ｂに中心点が存在する場合よりも、第２比較領域Ｃに注視点が存在する場合の方が、評価値ＡＮＳ５の値は減少する。
【０１３７】
評価部１３６は、評価値ＡＮＳ４又はＡＮＳ５が所定値以上か否かを判断することで評価データを求めることができる。例えば評価値ＡＮＳ４又はＡＮＳ５が所定値以上である場合、被験者が認知機能障害および脳機能障害である可能性は低いと評価することができる。また、評価値ＡＮＳ４又はＡＮＳ５が所定値未満である場合、被験者が認知機能障害および脳機能障害である可能性は高いと評価することができる。
【０１３８】
以上のように、評価装置２００は、表示部１１１と、被験者によってタッチ入力される表示部１１１上の入力点の位置データを検出するタッチ入力検出部１３２と、被験者に提示される課題に対して正解となる特定対象物と、特定対象物とは異なる比較対象物とを含む画像を表示部１１１に表示する表示制御部１３１と、特定対象物に対応した特定領域Ａと、比較対象物に対応した比較領域Ｂ、Ｃとを設定する領域設定部１３３と、入力点の位置に基づいて、入力点が特定領域Ａ及び比較領域Ｂ、Ｃに存在するかをそれぞれ判定する判定部１３４と、判定部１３４の判定結果に基づいて、入力点の指定点データを算出する演算部１３５と、指定点データに基づいて、被験者の評価データを求める評価部１３６とを備え、表示制御部１１１は、画像として、特定対象物及び比較対象物の少なくとも一方の配置が異なる複数の回答パターンを表示部１１１に複数回表示する。
【０１３９】
上記の評価装置２００によれば、評価装置１００と同様、１つの課題に対して、回答パターンにおける特定対象物及び比較対象物の配置を変更して複数回連続で表示させるものである。したがって、短時間で評価を行うことができ、かつ正解の偶然性を排除することができる。また、複数回の結果から評価を行うため、１回の結果で正解か否かを判断して評価を行う方法よりも評価精度を向上させることができる。
【０１４０】
なお、図２４に示す評価装置２００は、表示部１１１を観察する被験者を撮影可能なカメラ等の画像取得装置１２０（破線で示す）を有する構成であってもよい。この場合、画像取得装置１２０は、被験者の左右の眼球の画像データを取得し、取得した画像データを制御装置１３０に送信する構成とすることができる。また、制御装置１３０は、画像取得装置１２０によって取得される被験者の左右の眼球の画像データに基づいて、三次元グローバル座標系で規定される被験者の視線ベクトルを検出し、検出した被験者の視線ベクトルと表示装置１１０の表示部１１１との交点の位置データを、被験者の注視点の位置データとして検出する構成とすることができる。この構成において、制御装置１３０は、タッチパネル１５１における入力点及び制御装置１３０で求めた注視点の少なくとも一方を指定点として、上記各処理を行うことができる。
【０１４１】
本発明の技術範囲は上記実施形態に限定されるものではなく、本発明の趣旨を逸脱しない範囲で適宜変更を加えることができる。例えば、上記各実施形態では、評価装置１００を、認知機能障害および脳機能障害である可能性を評価する評価装置として用いる場合を例に挙げて説明したが、これに限定されない。例えば、評価装置１００は、発達障がいないどの認知機能障害および脳機能障害ではない被験者を評価する評価装置として用いてもよい。
【０１４２】
また、上記した説明において、第２回答パターン及び第３回答パターンを表示部１１、１１１に表示する場合のように、回答パターンが複数回連続で表示される場合には、各回答パターンの表示の間に、「正解と思うものを再び見つめてください」「正解と思うものを再び選択してください」等というように、再度特定対象物を注視させることを指示する情報を被験者に提示してもよい。また、回答パターンの表示の間に、「図柄の位置が変わります」等というように、特定対象物及び比較対象物の配置が変更されることを示す情報を被験者に提示してもよい。この場合、各情報については、表示部１１、１１１に文章等で表示してもよいし、音声等で提示してもよい。また、表示制御部３１、１３１は、各回の回答パターンを表示部１１、１１１に表示する際、被験者の視点を誘導するためのアイキャッチ映像を表示部１１、１１１に表示してもよい。
【符号の説明】
【０１４３】
Ａ…特定領域、Ｂ，Ｃ…比較領域、Ａ１１，Ａ２１，Ａ３１，Ａ４１…特定対象物、Ｂ１１，Ｂ１２，Ｂ２１，Ｂ２２，Ｂ３１，Ｂ４１，Ｂ４２，Ｃ１１〜Ｃ１３，Ｃ３１〜Ｃ３４…比較対象物、Ｉ１〜Ｉ４…課題情報、Ｐ１１〜Ｐ１３…回答パターン、１０，１１０…表示装置、１１，１１１…表示部、２０，１２０…画像取得装置、３０…コンピュータシステム、６０…入出力インターフェース装置、３１，１３１…表示制御部、３２…注視点検出部、３３，１３３…領域設定部、３４，１３４…判定部、３５，１３５…演算部、３６，１３６…評価部、３７，１３７…入出力制御部、３８，１３８…記憶部、４０…出力装置、５０，１５０…入力装置、１００，２００…評価装置、１３０…制御装置、１３２…タッチ入力検出部、１５１…タッチパネル
【図１】
2020123032.tif 000003
【図２】
2020123032.tif 000004
【図３】
2020123032.tif 000005
【図４】
2020123032.tif 000006
【図５】
2020123032.tif 000007
【図６】
2020123032.tif 000008
【図７】
2020123032.tif 000009
【図８】
2020123032.tif 000010
【図９】
2020123032.tif 000011
【図１０】
2020123032.tif 000012
【図１１】
2020123032.tif 000013
【図１２】
2020123032.tif 000014
【図１３】
2020123032.tif 000015
【図１４】
2020123032.tif 000016
【図１５】
2020123032.tif 000017
【図１６】
2020123032.tif 000018
【図１７】
2020123032.tif 000019
【図１８】
2020123032.tif 000020
【図１９】
2020123032.tif 000021
【図２０】
2020123032.tif 000022
【図２１】
2020123032.tif 000023
【図２２】
2020123032.tif 000024
【図２３】
2020123032.tif 000025
【図２４】
2020123032.tif 000026
【図２５】
2020123032.tif 000027
【図２６】
2020123032.tif 000028
【図２７】
2020123032.tif 000029
【図２８】
2020123032.tif 000030
【図２９】
2020123032.tif 000031